(57)【特許請求の範囲】
【請求項１】
テープ用メカニズムなどの再生源を中央部に配置し、その左右にそれぞれスピーカーを配置した音響再生装置において、筐体底面部から上方に延びて左右のスピーカー配置場所と前記中央部とをそれぞれ隔離する左右の隔壁を設け、これらの隔壁同士をメカニズム支持部材によって連結し、再生源を制御する部品などを設けたプリント基板を前記メカニズム支持部材により上方から係止して保持した音響再生装置の部品取付装置。
【請求項２】
テープ用メカニズムなどの再生源を中央部に配置し、その左右にそれぞれスピーカーを配置した音響再生装置において、筐体底面部から上方に延びて左右のスピーカー配置場所と前記中央部とをそれぞれ隔離する左右の隔壁を設け、これらの隔壁同士をメカニズム支持部材によって連結し、このメカニズム支持部材上にテープ用メカニズムを取り付けた音響再生装置の部品取付装置。
【請求項３】
テープ用メカニズムなどの再生源を中央部に配置し、その左右にそれぞれスピーカーを配置した音響再生装置において、筐体底面部から上方に延びて左右のスピーカー配置場所と前記中央部とをそれぞれ隔離する左右の隔壁を設け、これらの隔壁同士をメカニズム支持部材によって連結し、このメカニズム支持部材上にテープ用メカニズムを取り付け、再生源を制御する部品などを設けたプリント基板を前記メカニズム支持部材により上方から係止して保持した音響再生装置の部品取付装置。
【請求項４】
プリント基板上に設けられ再生音楽に関する情報を表示可能な表示用部品をメカニズム支持部材によっても支持した請求項１〜３の何れかに記載の音響再生装置の部品取付装置。
【請求項５】
プリント基板の下方に再生源の一部であるＣＤ用メカニズムが横向きに配設されてなる請求項１〜４の何れかに記載の音響再生装置の部品取付装置。
【発明の詳細な説明】
【０００１】
【発明の属する技術分野】
本発明は、テープ用メカニズムなどの再生源を中央部に配置し、その左右にそれぞれスピーカーを配置した音響再生装置に関し、特にこの音響再生装置における部品の取り付け構造に関するものである。
【０００２】
【従来の技術】
図４は従来の音響再生装置の分解斜視図（但し、左右のスピーカは省いている）を示すものである。図４に示すように、音響再生装置は、筐体の底面部をなす下キャビネット２１と、筐体のその他の部分をなす上キャビネット２２と、下キャビネット２１上に横向きに取り付けられるＣＤ用メカニズム２３と、このＣＤ用メカニズム２３の上方に配設されるプリント基板２４と、このプリント基板２４の上方に配設されるテープ用メカニズム２５とを備えている。そして、上キャビネット２２に一体形成したボス（図示せず）にテープ用メカニズム２５を下方からビス止めし、テープ用メカニズム２５に設けられているコネクター（図示せず）に、プリント基板２４に半田付けしたコネクター２６を挿入して、テープ用メカニズム２５を電気的に制御するようになっている。プリント基板２４は上キャビネット２２に一体形成したボス（図示せず）に下方からビス止めされ、最終的に下キャビネット２１を上キャビネット２２に嵌合し、ビス止めして構成されている。また、ＣＤ用メカニズム２３は、予め下キャビネット２１に上方からビス固定され、線材２７でプリント基板２４に結線されている。
【０００３】
この構成における組み立ては、上キャビネット２２を下にしてテープ用メカニズム２５、プリント基板２４を順に組み付けて行き、最後に、ＣＤ用メカニズム２３を取り付けた下キャビネット２１をビス止めした後に反転して完成といった手順で行われる。
これらのＣＤ用メカニズム２３、プリント基板２４、テープ用メカニズム２５は筐体（上キャビネット２２と下キャビネット２１）内の中央部に配置されており、これらの左右箇所には、下キャビネット２１の底面部分から上方に延びる２つの隔壁２８が一体形成され、これらの隔壁２８により、密閉構造のスピーカーボックスの一部を構成するようになっている。
【０００４】
【発明が解決しようとする課題】
このような従来の音響再生装置においては、プリント基板２４が、テープ用メカニズム２５と干渉しないような四隅部分だけで上キャビネット２２に取り付けられているとともに、プリント基板２４の下方にはＣＤ用メカニズム２３が配置されていることからプリント基板支持用のボスなどを下方から設けられず支持されていないため、プリント基板２４の中央部などでは比較的たわみやすく、落下試験などを行った際に、プリント基板２４やその取り付け部品などを損傷するおそれがあった。
【０００５】
また、従来の音響再生装置は、上キャビネット２２を下にして順次組み上げていくため、外観の主たる面を有する上キャビネット２２に傷が付いたり、最終的にセットの反転作業が必要であったり、プリント基板２４のコネクター２６をテープ用メカニズム２５のコネクターに挿入することが困難であったりする問題があった。
【０００６】
また、左右に配置したスピーカーボックス内部の音圧が、各隔壁２８を振動させ、その振動が下キャビネット２１に固定したＣＤ用メカニズム２３に伝わり、ＣＤ再生中に音飛びを生じるといった課題もあった。
本発明は上記問題や課題を解決するもので、プリント基板を落下試験などの場合でもたわみなどを生じないように確実に支持することができ、組み上げ時に上キャビネットに傷が付いたりすることがなく、作業性が良好で、ＣＤ再生中での音飛びの無い音響再生装置を得ることができる部品取付装置を提供することを目的としてなされたものである。
【０００７】
【課題を解決するための手段】
上記課題を解決するために本発明は、テープ用メカニズムなどの再生源を中央部に配置し、その左右にそれぞれスピーカーを配置した音響再生装置において、筐体底面部から上方に延びて左右のスピーカー配置場所と前記中央部とをそれぞれ隔離する左右の隔壁を設け、これらの隔壁同士をメカニズム支持部材によって連結し、再生源を制御する部品などを設けたプリント基板を前記メカニズム支持部材により上方から係止して保持したものである。
【０００８】
これにより、プリント基板を落下試験などの場合でもたわみなどを生じないように確実に支持することができ、組み上げ時に上キャビネットに傷が付いたりすることがなく、作業性が良好で、ＣＤ再生中での音飛びの無い音響再生装置を得ることができる。
【０００９】
【発明の実施の形態】
本発明の請求項１記載の音響再生装置の部品取付装置は、テープ用メカニズムなどの再生源を中央部に配置し、その左右にそれぞれスピーカーを配置した音響再生装置において、筐体底面部から上方に延びて左右のスピーカー配置場所と前記中央部とをそれぞれ隔離する左右の隔壁を設け、これらの隔壁同士をメカニズム支持部材によって連結し、再生源を制御する部品などを設けたプリント基板を前記メカニズム支持部材により上方から係止して保持したものである。
【００１０】
この構成により、隔壁同士を連結したメカニズム支持部材にてプリント基板を上方から係止して保持するので、落下試験などの場合でもプリント基板がたわむことが防止され、プリント基板やその取り付け部品などが損傷することを防止できる。また、組み付け時に、筐体底面部を下方に配置した状態でメカニズム支持部材ならびにプリント基板を組み付けることができる。また、左右の隔壁同士がメカニズム支持部材を介して連結されるため、左右の隔壁がメカニズム支持部材によって補強され、ＣＤ再生中の音飛びを生じなくなる。
【００１１】
請求項２記載の音響再生装置の部品取付装置は、テープ用メカニズムなどの再生源を中央部に配置し、その左右にそれぞれスピーカーを配置した音響再生装置において、筐体底面部から上方に延びて左右のスピーカー配置場所と前記中央部とをそれぞれ隔離する左右の隔壁を設け、これらの隔壁同士をメカニズム支持部材によって連結し、このメカニズム支持部材上にテープ用メカニズムを取り付けたものである。
【００１２】
この構成により、隔壁同士を連結したメカニズム支持部材によりテープ用メカニズムを取り付けたので、組み付け時に、筐体底面部を下方に配置した状態でメカニズム支持部材ならびにテープ用メカニズムを組み付けることができる。また、左右の隔壁同士がメカニズム支持部材を介して連結されるため、左右の隔壁がメカニズム支持部材によって補強され、ＣＤ再生中の音飛びを生じなくなる。
【００１３】
請求項３記載の音響再生装置の部品取付装置は、テープ用メカニズムなどの再生源を中央部に配置し、その左右にそれぞれスピーカーを配置した音響再生装置において、筐体底面部から上方に延びて左右のスピーカー配置場所と前記中央部とをそれぞれ隔離する左右の隔壁を設け、これらの隔壁同士をメカニズム支持部材によって連結し、このメカニズム支持部材上にテープ用メカニズムを取り付け、再生源を制御する部品などを設けたプリント基板を前記メカニズム支持部材により上方から係止して保持したものである。
【００１４】
この構成により、隔壁同士を連結したメカニズム支持部材によりプリント基板を上方から係止して保持するので、落下試験などの場合でもプリント基板がたわむことが防止され、プリント基板やその取り付け部品などが損傷することを防止できる。また、組み付け時に、筐体底面部を下方に配置した状態でメカニズム支持部材、テープ用メカニズムならびにプリント基板を組み付けることができる。また、左右の隔壁同士がメカニズム支持部材を介して連結されるため、左右の隔壁がメカニズム支持部材によって補強され、ＣＤ再生中の音飛びを生じなくなる。
【００１５】
請求項４記載の発明は、請求項１〜３の何れかに記載の音響再生装置の部品取付装置において、プリント基板上に設けられ再生音楽に関する情報を表示可能な表示用部品をメカニズム支持部材によっても支持したものである。
請求項５記載の発明は、請求項１〜４の何れかに記載の音響再生装置の部品取付装置において、プリント基板の下方に再生源の一部であるＣＤ用メカニズムが横向きに配設されてなるものである。
【００１６】
以下、本発明の実施の形態について、図１〜図３を用いて説明する。
図１は本発明の実施の形態にかかる音響再生装置の分解斜視図（但し、左右のスピーカは省いている）、図２は同音響再生装置の側面断面図、図３は同音響再生装置の正面断面図である。
図１〜図３に示すように、音響再生装置は、筐体の底面部をなす下キャビネット１と、筐体のその他の部分をなす上キャビネット２と、下キャビネット１上に横向きに取り付けられるＣＤ用メカニズム３と、このＣＤ用メカニズム３の上方に配設されるプリント基板４と、このプリント基板４の上方に配設されるテープ用メカニズム５と、プリント基板４やテープ用メカニズム５を保持するためのメカニズム支持部材９とを備えている。プリント基板４には、ＣＤ用メカニズム３およびテープ用メカニズム５などを制御する電子部品および回路が設けられている。また、テープ用メカニズム５に設けられているコネクター（図示せず）に、プリント基板４に半田付けしたコネクター６を挿入して、テープ用メカニズム５をプリント基板４に設けた部品などで電気的に制御するようになっている。また、ＣＤ用メカニズム３は線材７でプリント基板４に結線されている。
【００１７】
ＣＤ用メカニズム３は、下キャビネット１より上方に延びるように一体形成された４箇所のボス１ａに載せられて下キャビネット１に接近した横向き姿勢でビス孔３ａを通してビス１１で固定されている。プリント基板４は、下キャビネット１における前記ボス１ａよりも左右外側箇所において上方に延びるように一体形成された４箇所のボス１ｂに載せられて、ＣＤ用メカニズム３とテープ用メカニズム５との間で横向き姿勢でビス孔４ａを通してビス１２で固定されている。テープ用メカニズム５の後部側は、下キャビネット１より上方に延びるように一体形成された３箇所のボス１ｃ上に載せられて、プリント基板４の上方位置で横向き姿勢でビス孔５ａを通してビス１３で固定されている。なお、このテープ用メカニズム５を取り付けるためのボス１ｃは、プリント基板４に設けられた挿通孔４ｂを貫通して配置される。
【００１８】
これらのＣＤ用メカニズム３、プリント基板４、テープ用メカニズム５は筐体（上キャビネット２と下キャビネット１）内の中央部に配置されており、これらの左右箇所には、下キャビネット１からそれぞれ上方に延びる２つの隔壁８が一体形成され、これらの隔壁８により、左右に配置されるスピーカーを収容する密閉構造のスピーカーボックスの一部を構成するようになっている。
【００１９】
これらの隔壁８間にわたってメカニズム支持部材９が組み付けられている。すなわち、各隔壁８の上辺部前側寄りの箇所には下方に窪む凹部８ａが形成され、各凹部８ａに、メカニズム支持部材９の両側端に形成したフック９ａを係合させることで、組付時には左右の隔壁８同士をメカニズム支持部材９を介して連結している。また、メカニズム支持部材９の下面には、下方から後方へ屈曲して延びる２つの受けリブ９ｂが形成され、これらの受けリブ９ｂが、プリント基板４に設けられた挿通孔４ｃに通されているとともに、受けリブ９ｂの先端部にてプリント基板４が下方に撓まないように受けられている。さらに、メカニズム支持部材９の後部には、テープ用メカニズム５の前部側を受ける３つのボス９ｃが形成され、これらのボス９ｃによりテープ用メカニズム５の前部側が載せられた状態で、ビス孔５ｂを通してビス１４で固定されている。
【００２０】
また、プリント基板４上の前端寄り箇所には、再生音楽に関する情報を表示可能な表示用部品としてのＬＣＤホルダー１０が取り付けられているが、このＬＣＤホルダー１０は、メカニズム支持部材９より前方に延びるように一体形成された取付片９ｄによってもビス孔９ｅを通してビス１５（図２参照、なお図１においては省いている）で固定されている。
【００２１】
この音響再生装置の組み立ては、以下のようにして行う。
まず、下キャビネット１のボス１ａにＣＤ用メカニズム３を載せてビス固定する。次に、下キャビネット１のボス１ｂにプリント基板４を載せてビス固定する。そして、メカニズム支持部材９を、その受けリブ９ｂがプリント基板４の挿通孔４ｃに通してプリント基板４を下方から受けるように係合させながら、各隔壁８の凹部８ａにフック９ａを係合させて、隔壁８間にわたって連結させる。さらに、メカニズム支持部材９によってもＬＣＤホルダー１０をビス固定するとともに、テープ用メカニズム５を、メカニズム支持部材９のボス９ｃと下キャビネット１のボス１ｃとの上に載せてビス固定する。そして最後に、上キャビネット２を乗せて、下キャビネット１の下面から、ビス止めすることにより完成する。
【００２２】
このように、下キャビネット１の上にＣＤ用メカニズム３、プリント基板４、メカニズム支持部材９およびテープ用メカニズム５を順に載せて組み付けることで音響再生装置を組み立てることができるので、従来のように、外観の主たる面を有する上キャビネットに傷が付いたりすることはなく、セットの反転作業も必要でないので作業能率がよい。また、プリント基板４のコネクター６が上面側に見える状態でテープ用メカニズム５のコネクターを挿入することができるため、この接続作業も容易に行うことができ、これによっても作業能率が向上する。
【００２３】
また、隔壁８間にわたって組み付けられたメカニズム支持部材９によりプリント基板４を上方から係止して保持するので、落下試験などの場合でもプリント基板４がたわむことが防止され、プリント基板４やその取り付け部品などが損傷することを防止でき、信頼性が向上する。
さらに、左右の隔壁８同士がメカニズム支持部材９を介して連結されるため、左右の隔壁８がメカニズム支持部材９によって補強され、左右に配置したスピーカーボックス内部の音圧によって隔壁８が振動することが防止され、この結果、下キャビネット１に固定したＣＤ用メカニズム３に振動が伝わることが防止されて、ＣＤ再生中の音飛びを生じなくなる。
【００２４】
【発明の効果】
以上のように本発明によれば、反転作業無しで組み立てできて作業能率が向上し、また、下キャビネットなどの筐体底面部から各部品を積み上げる方式のため上キャビネットなどの筐体上部部品の傷付きが少なくなるといった効果が得られ、さらに、左右の音圧から発生する隔壁の振動をメカニズム支持部材で押さえて、補強することができ、ＣＤ再生中の音飛びを生じなくなるという有利な効果が得られる。
【図面の簡単な説明】
【図１】本発明の実施の形態にかかる音響再生装置の分解斜視図（但し、左右のスピーカならびにテープ用メカニズムの蓋部分は省いて図示している）
【図２】同音響再生装置の側面断面図
【図３】同音響再生装置の正面断面図
【図４】従来の音響再生装置の分解斜視図
【符号の説明】
１        下キャビネット（筐体底面部）
２        上キャビネット
３        ＣＤ用メカニズム（再生源）
４        プリント基板
５        テープ用メカニズム（再生源）
８        隔壁
９        メカニズム支持部材
１０      ＬＣＤホルダー（表示用部品）
【図１】
0003690947.tif 000002
【図２】
0003690947.tif 000003
【図３】
0003690947.tif 000004
【図４】
0003690947.tif 000005